(57)【要約】【課題】シールやカードなどのキャンペーン片が貼付しやすく、製造側の手間やコストを抑えることができるキャンペーン用シートを提供する。【解決手段】キャンペーン用台紙１０は、１枚目シート１１と、２枚目シート１２と、３枚目シート１６などとを備え、１枚目シート１１は、キャンペーンカードや粘着層１４を保護する保護シートであり、２枚目シート１２は、タック基材１３、粘着層１４及び剥離紙１５が順に積層されたタック紙であり、粘着層１４は、キャンペーンカードを貼付するためのものであって、再剥離再貼付が可能な再剥離性粘着剤であり、剥離紙１５には、粘着層１４を横長の円形状に表出させるハーフカットｈｃが切り込まれており、３枚目シート１６は、このキャンペーン用台紙１０の土台となるベースシートであり、３枚目シート１６上に２枚目シート１２を貼り合せ、その上に、１枚目シート１１を貼り合せる。【選択図】図１
2006027134.tif 000002
【特許請求の範囲】
【請求項１】
所定の枚数のキャンペーン片を集め、そのキャンペーン片を貼付して、対象のキャンペーンに応募するためのキャンペーン用シートであって、
少なくとも一部に前記キャンペーン片を貼付するための貼付手段を備えるキャンペーン用シート。
【請求項２】
請求項１に記載のキャンペーン用シートにおいて、
前記貼付手段は、再剥離再貼付が可能な粘着層であること、
を特徴とするキャンペーン用シート。
【請求項３】
請求項１に記載のキャンペーン用シートにおいて、
前記キャンペーン片は、少なくとも一部に剥離性を有すること、
を特徴とするキャンペーン用シート。
【請求項４】
請求項１から請求項３までのいずれか１項に記載のキャンペーン用シートにおいて、
前記貼付手段が設けられた第１の基材と、
前記貼付手段上に剥離可能に設けられ、その貼付手段を部分的に表出させる表出予定線を有する第２の基材とを備えること、
を特徴とするキャンペーン用シート。
【請求項５】
請求項４に記載のキャンペーン用シートにおいて、
前記表出予定線は、連続的に複数設けられていること、
を特徴とするキャンペーン用シート。
【請求項６】
請求項４又は請求項５に記載のキャンペーン用シートにおいて、
前記第１の基材、前記貼付手段及び前記第２の基材を、前記表出予定線を有する部分とその他の部分とに分離する分離予定線を備えること、
を特徴とするキャンペーン用シート。
【請求項７】
請求項４から請求項６までのいずれか１項に記載のキャンペーン用シートにおいて、
前記第１の基材、前記貼付手段及び前記第２の基材は、タック基材、粘着層及び剥離シートが順に積層されたタックシートであること、
を特徴とするキャンペーン用シート。
【請求項８】
請求項４から請求項７までのいずれか１項に記載のキャンペーン用シートにおいて、
ベースシートと、
前記ベースシートと前記第１の基材とを接着する接着層とを備えること、
を特徴とするキャンペーン用シート。
【請求項９】
請求項８に記載のキャンペーン用シートにおいて、
前記第１の基材と前記ベースシートとの間に剥離層を備えること、
を特徴とするキャンペーン用シート。
【請求項１０】
請求項１から請求項３までのいずれか１項に記載のキャンペーン用シートにおいて、
前記キャンペーン片の貼付位置を示す貼付領域を有し、その貼付領域上に前記貼付手段が設けられたベースシートを備えること、
を特徴とするキャンペーン用シート。
【請求項１１】
請求項１から請求項１０までのいずれか１項に記載のキャンペーン用シートにおいて、
前記キャンペーン片及び／又は前記貼付手段を保護する保護シートを備えること、
を特徴とするキャンペーン用シート。
【発明の詳細な説明】
【技術分野】
【０００１】
本発明は、キャンペーンの応募に好適なキャンペーン用シートに関するものである。
【背景技術】
【０００２】
現在、販促（販売促進）活動の一環として、毎日、様々なキャンペーンが実施されている（例えば、特許文献１）。
【０００３】
最近は、各種オンラインサービスに代表される携帯電話やパーソナルコンピュータといったＩＴ（Ｉｎｆｏｒｍａｔｉｏｎ  Ｔｅｃｈｎｏｌｏｇｙ）を利用したものが主となっているが、これらは、利用者（申込者）側が気軽に参加できる点に加え、販促企業側でもデータ収集にコストや時間を要さないという点が受けていることによる。
【０００４】
このような、ＩＴを利用するキャンペーンは、申し込みが手軽で、かつ、申込データを受ける側でもデータ解析などに要する手間が省けるために、関係者全員にメリットがあるように感じられるが、実際には、申し込みが手軽であるがゆえに、一過性のものに過ぎなかったり、必ずしも正確なデータが入力されない、といった弊害も見られていた。
【０００５】
当然、手書で申し込むような場合でも、個人情報に類するデータの記入は、どこまで正確か、という問題は常につきまとっていたが、手軽でないだけに、ある程度のデータは収集できていた。
【０００６】
さて、これらのキャンペーンは、色々なタイプのものがある。
前述のＩＴを利用する場合は、例えば、何らかの商品を購入し、その商品に記載された特定のサイトにアクセスして、箱や入れ物に直接又は間接的に記載されている数桁の数字を入力すると、キャンペーンに参加でき、そのサイトで行われるゲームに勝ったり、アンケートに回答したりすると、販促品がもらえるようになっている。
【０００７】
また、缶コーヒーのように、１缶ごとに１枚のシールが貼られており、このシールをたくさん集めると、その集めた枚数に応じて商品がもらえる、というものもあり、この場合は、仕組みはシンプルなものの、ＩＴではやや実施しにくいタイプと言える。
【０００８】
缶コーヒーの場合は、被着体の材質が金属であるため、缶にシールを強く接着しても、剥がせる程度の粘着剤を選定しておけば、利用者は、缶からシールを剥がしてキャンペーンの台紙に貼り込むことで、シールを好きなだけ集めることが可能である。
【０００９】
一方、缶コーヒーでないキャンペーンの場合は、以下のような問題がある。
缶コーヒーは、サイズが一定であり、硬く、しかも、円柱状であるため、市販されているラベリング機で、高速にシールをラベリングできるが、例えば、スナック菓子などは、不定形であり、しかも、窒素ガスなどが充填されているために、シールを貼り込むことは難しい。
【００１０】
逆に言えば、剥がせない程度の強度で、シールを貼り込むことは可能であるが、剥がせるように工夫するには、不用意に剥がれてしまうことや、店頭陳列時に剥がされてしまうことも想定されるために、なかなか難しい。
【００１１】
この場合は、製品にもよるが、袋の中にキャンペーンカードを封入してしまう方法がある。この方法であれば、貼り込む手間もなく、好適である。
【００１２】
しかし、この場合は、タック紙状態（基材／粘着剤／剥離紙）のままで封入すると、端部の粘着剤にスナック菓子の粉末が付着してしまい、使いにくくなることに加え、消費者からは衛生面を指摘される可能性もある。
【００１３】
そこで、必要に応じて、ビニール袋でキャンペーンカードを包み、その状態で封入する方法を採用する場合がある。この方法であれば、衛生面の指摘はなくなるものの、キャンペーンカードを包装する資材にコストを要するために、キャンペーンカードには、高価なタック加工（粘着加工）を施すことが困難になってしまう。
【００１４】
その結果、キャンペーンの応募者は、キャンペーンカードを糊付けしたり、キャンペーンカードを粘着テープで貼り付けるなどして、申し込みを行うのがこれまでのパターンであるが、やはり手間ヒマを掛けさせすぎると、申込自体が少なくなってしまい、販促キャンペーンとしては失敗となってしまう可能性があった。
【特許文献１】特開２００１−３３４７８３号公報
【発明の開示】
【発明が解決しようとする課題】
【００１５】
本発明の課題は、シールやカードなどのキャンペーン片が貼付しやすく、製造側の手間やコストを抑えることができるキャンペーン用シートを提供することである。
【課題を解決するための手段】
【００１６】
本発明は、以下のような解決手段により、前記課題を解決する。なお、理解を容易にするために、本発明の実施例に対応する符号を付して説明するが、これに限定されるものではない。
請求項１の発明は、所定の枚数のキャンペーン片を集め、そのキャンペーン片を貼付して、対象のキャンペーンに応募するためのキャンペーン用シートであって、少なくとも一部に前記キャンペーン片を貼付するための貼付手段（１４）を備えるキャンペーン用シートである。
【００１７】
請求項２の発明は、請求項１に記載のキャンペーン用シートにおいて、前記貼付手段（１４）は、再剥離再貼付が可能な粘着層であること、を特徴とするキャンペーン用シートである。
【００１８】
請求項３の発明は、請求項１に記載のキャンペーン用シートにおいて、前記キャンペーン片は、少なくとも一部に剥離性を有すること、を特徴とするキャンペーン用シートである。
【００１９】
請求項４の発明は、請求項１から請求項３までのいずれか１項に記載のキャンペーン用シートにおいて、前記貼付手段（１４）が設けられた第１の基材（１３）と、前記貼付手段（１４）上に剥離可能に設けられ、その貼付手段（１４）を部分的に表出させる表出予定線（ｈｃ）を有する第２の基材（１５）とを備えること、を特徴とするキャンペーン用シートである。
【００２０】
請求項５の発明は、請求項４に記載のキャンペーン用シートにおいて、前記表出予定線（ｈｃ）は、連続的に複数設けられていること、を特徴とするキャンペーン用シートである。
【００２１】
請求項６の発明は、請求項４又は請求項５に記載のキャンペーン用シートにおいて、前記第１の基材（１３）、前記貼付手段（１４）及び前記第２の基材（１５）を、前記表出予定線（ｈｃ）を有する部分（Ａ）とその他の部分（Ｂ）とに分離する分離予定線（ｍｃ）を備えること、を特徴とするキャンペーン用シートである。
【００２２】
請求項７の発明は、請求項４から請求項６までのいずれか１項に記載のキャンペーン用シートにおいて、前記第１の基材（１３）、前記貼付手段（１４）及び前記第２の基材（１５）は、タック基材、粘着層及び剥離シートが順に積層されたタックシートであること、を特徴とするキャンペーン用シートである。
【００２３】
請求項８の発明は、請求項４から請求項７までのいずれか１項に記載のキャンペーン用シートにおいて、ベースシート（１６）と、前記ベースシート（１６）と前記第１の基材（１３）とを接着する接着層とを備えること、を特徴とするキャンペーン用シートである。
【００２４】
請求項９の発明は、請求項８に記載のキャンペーン用シートにおいて、前記第１の基材（１３）と前記ベースシート（１６）との間に剥離層を備えること、を特徴とするキャンペーン用シートである。
【００２５】
請求項１０の発明は、請求項１から請求項３までのいずれか１項に記載のキャンペーン用シートにおいて、前記キャンペーン片の貼付位置を示す貼付領域（１７）を有し、その貼付領域（１７）上に前記貼付手段（１４）が設けられたベースシート（１２Ｃ）を備えること、を特徴とするキャンペーン用シートである。
【００２６】
請求項１１の発明は、請求項１から請求項１０までのいずれか１項に記載のキャンペーン用シートにおいて、前記キャンペーン片及び／又は前記貼付手段（１４）を保護する保護シート（１１）を備えること、を特徴とするキャンペーン用シートである。
【発明の効果】
【００２７】
本発明によれば、キャンペーン用シート自体に貼付手段を設けたので、誰でも簡単に、キャンペーン片を貼付することができ、また、キャンペーン片用に製造されていないシートであっても、キャンペーン片として利用することができる。
【発明を実施するための最良の形態】
【００２８】
本発明は、シールやカードなどのキャンペーン片が貼付しやすく、製造側の手間やコストを抑えることができるキャンペーン用シートを提供するという目的を、タック紙の剥離紙に設けたハーフカットによって、タック紙の粘着層を部分的に表出させ、その表出した粘着層にキャンペーンカードを貼付することにより実現する。
【実施例１】
【００２９】
以下、図面等を参照して、本発明の実施例について、さらに詳しく説明する。
図１は、本発明によるキャンペーン用シートの実施例１を示す図である。
実施例１のキャンペーン用台紙（キャンペーン用シート）１０は、所定の枚数のキャンペーンカードを集め、そのキャンペーンカードを貼付して、対象のキャンペーンに応募するためのものであって、１枚目シート１１と、２枚目シート１２と、３枚目シート１６などとを備える。
【００３０】
１枚目シート１１は、キャンペーンカードや後述する粘着層１４を保護する保護シートであり、表面には、キャンペーンの案内欄１１ａが設けられ、裏面には、申込者の個人情報記入欄が設けられている。
【００３１】
２枚目シート１２は、タック基材（第１の基材）１３、粘着層（貼付手段）１４及び剥離紙（第２の基材）１５が、下から順に積層されたタック紙である。
粘着層１４は、キャンペーンカードを貼付するためのものであって、再剥離再貼付が可能な再剥離性粘着剤である。
剥離紙１５には、剥離紙１５の表面からタック基材１３を貫通しないように、かつ、粘着層１４を横長の円形状に表出させるハーフカット（表出予定線）ｈｃが切り込まれている。
また、ハーフカットｈｃは、平面的には、横長の円形状に、連続的に１５個設けられており、そのハーフカットｈｃによって区画される領域の下から５個目、１０個目、１５個目の領域には、それぞれ、「５点」、「１０点」、「１５点」の文字が印刷されている。
【００３２】
３枚目シート１６は、このキャンペーン用台紙１０の土台となるベースシートであり、表面には、キャンペーンの広告欄１６ａと、２枚目シート貼り込み予定位置１６ｂとが設けられ、裏面には、トラブル防止用の公正取引委員会のガイド欄や、キャンペーンカードの有効地域などの注意事項欄が設けられている。
【００３３】
次に、図１及び図２を用いて、実施例１によるキャンペーン用台紙１０の製造方法について説明する。
図２は、キャンペーン用台紙１０の丁合時の様子を示す図である。
まず、図１（Ａ）に示すように、１枚目シート１１及び３枚目シート１６用のマット系コート紙を用意する。
【００３４】
ついで、１枚目シート１１と３枚目シート１６とを同時に印刷しながら、１枚目シート１１と３枚目シート１６との間でスリット（切断）して、両者を巻き上げる。
【００３５】
さらに、２枚目シート１２に印刷を行い、Ｍｇ（マグネット）ダイカットロールを用いて、ハーフカットｈｃを設ける。
なお、Ｍｇダイカットロールは、フレキシブルダイとも呼ばれ、略全面がマグネットになっているロールに、活版状の刃を自由に貼り込むことができるものである。
【００３６】
そして、図２に示すように、３枚目シート１６の２枚目シート貼り込み予定位置１６ｂに接着剤を塗布し、その位置に２枚目シート１２を全面で貼り合せ、２枚目シート１２の右端部にライン状のライン糊を塗布し、１枚目シート１１を貼り合せる。
【００３７】
このようにして、キャンペーン用台紙１０が完成したら、このキャンペーン用台紙１０は、利用者に届けられ、利用者は、キャンペーンカードをもらうたびに、ハーフカットｈｃを用いて、部分的に粘着層１４を表出させ、その位置にキャンペーンカードを貼付して保管する。
そして、１５枚のキャンペーンカードが集まったら、１枚目シート１１の裏面の個人情報記入欄に必要事項を記入して、キャンペーンに応募する。
【００３８】
このように、実施例１によれば、以下のような効果がある。
（１）キャンペーン用台紙１０自体に、キャンペーンカードを貼付するための粘着層１４を設けたので、キャンペーンカードに粘着加工は不要であり、また、利用者側での糊付けや粘着テープでの貼り込み、といった手間が省け、誰でも簡単に、キャンペーンカードを貼付することができる。
（２）キャンペーン用に製造されていないシート、例えば、搭乗券や入場券の半券などであっても、キャンペーンカードとして利用することができる。
【００３９】
（３）剥離紙１５に印刷加工を行い、タック紙を表裏逆に使用するので、製造段階での貼り合せやすさを実現することができる。
（４）ハーフカットｈｃは、横長の円形状に、連続的に設けられているので、複数のキャンペーンカードをずらしながら重ねて貼付することができ、貼付スペースが最小限に抑えられ、残りの部分を広告スペースとして有効に活用できる。
【００４０】
（５）各シートは、折り返さず、丁合するようにしたので、製造工程が複雑となる折り加工は不要であり、上述したような面付けで印刷を進行すれば、表４ｃ／裏１ｃとなるので、５ｃ機での効率的な印刷が可能となり、コストダウンや納期短縮を図ることができる。
ここで、「表４ｃ」とは、４つのカラー（Ｙ，Ｍ，Ｃ，Ｋ）のことであり、「裏１ｃ」とは、１つのカラー（Ｋ）のことであり、「５ｃ機」とは、表裏合わせて５色の印刷機ということである。
（６）２枚目シート１２を市販のタック紙とすることで、接着特性を選択することが可能であり、例えば、本実施例のように再剥離タイプを使用すれば、企業側で、キャンペーンカードを剥がすことができ、それを集計したり再利用したりして、マーケティングなどに活かすことができる。
【００４１】
（７）ライン糊を剥離不可能な糊にすれば、１枚目シート１１は、使用中には、粘着層１４を保護し、運搬中には、キャンペーンカードの不用意な脱落を防止する。
（８）ライン糊を剥離可能な糊にすれば、１枚目シート１１を剥がすことができ、企業側では、２枚目シート１２を『優良顧客台帳』（最近の購入実績や購入回数の多い優良顧客をまとめたもの）的に活用できる。
【実施例２】
【００４２】
図３は、本発明によるキャンペーン用シートの実施例２を示す図であり、図４は、キャンペーン用台紙１０Ａの丁合時の様子を示す図である。
なお、前述した実施例１と同様な機能を果たす部分には、同一の符号又は末尾に統一した符号を付して、重複する説明や図面を適宜省略する。
実施例２のキャンペーン用台紙１０Ａは、実施例１のキャンペーン用台紙１０と略同様のものであるが、２枚目シート貼り込み予定位置１６ｂに、剥離層が設けられている点と、２枚目シート１２の裏面に、申込者記入欄が設けられている点とが異なる。
【００４３】
そして、図４に示すように、実施例１と同様にして、各シートを貼り合せ、キャンペーン用台紙１０Ａを完成させる。
【００４４】
このように、実施例２によれば、２枚目シート１２を３枚目シート１６から剥がすための剥離層を設け、かつ、２枚目シート１２の裏面には、申込者記入欄を設けたので、２枚目シート１２だけでキャンペーンの応募が可能となり、申込書類の作製がより簡単で、また、１枚目シート１１と３枚目シート１６とを控えとして保管することもできる。
【実施例３】
【００４５】
図５は、本発明によるキャンペーン用シートの実施例３を示す図であり、図６は、キャンペーン用台紙１０Ｂの丁合時の様子を示す図である。
実施例３のキャンペーン用台紙１０Ｂは、３枚目シート１６をなくしたものである。
３枚目シート１６がなくなるので、２枚目シート１２に使用するタック紙は、厚手であり、かつ、剥離紙１５の絵柄印刷適性のよいものを選択する。
また、２枚目シート１２には、２枚目シート１２を、ハーフカットｈｃを有するキャンペーンカードを貼付する部分Ａと、その他の部分Ｂとに分離するミシン目（分離予定線）ｍｃが設けられている。
【００４６】
そして、図６に示すように、１枚目シート１１の右端部と、２枚目シート１２の右端部とをライン糊によって貼り合せる。
【００４７】
このように、実施例３によれば、３枚目シート１６をなくしたので、シンプルな２ｐｔ（パート）の形態となる。
また、２枚目シート１２にミシン目ｍｃを設けたので、キャンペーンカードを貼付する部分Ａと、その他の部分Ｂとに分離することができ、例えば、その他の部分Ｂの裏面に、キャンペーンのキャラクターシールや、『ワレモノ』、『取扱注意』などの印刷をしておくことによって、付属のシールとして活用でき、使い勝手を向上させることができる。
【実施例４】
【００４８】
図７は、本発明によるキャンペーン用シートの実施例４を示す図であり、図８は、キャンペーン用台紙１０Ｃの丁合時の様子を示す図である。
実施例４のキャンペーン用台紙１０Ｃは、タック紙を使用していないタイプのものであり、ベースシートとしての２枚目シート１２Ｃは、表面には、キャンペーンカードの貼付位置を示す貼付領域１７が設けられ、裏面には、申込者記入欄が設けられている。
貼付領域１７には、１５個の横長の円と、「５点」、「１０点」、「１５点」の文字とが印刷されており、また、１枚目シート１１の裏面であって、後述する再剥離性粘着剤と接する部分には、剥離を容易にするためのメジウム印刷層が設けられている。
【００４９】
そして、図８に示すように、貼付領域１７上に再剥離性粘着剤を塗布し、２枚目シート１２Ｃに、１枚目シート１１を重ね合せる。
このキャンペーン用台紙１０Ｃを使用する場合は、一旦、１枚目シート１１をめくり上げて、貼付領域１７にキャンペーンカードを貼付し、貼付後には、再び１枚目シート１１を元に戻して、キャンペーンカードや再剥離性粘着剤を保護する。
【００５０】
このように、実施例４によれば、タック紙を使用していないので、シンプルな構成、形態となり、廉価な材料の選択によって、低価格化が実現でき、コストをかけずに、又は、かけたコスト以上の効果が得られる。
【００５１】
（変形例）
以上説明した実施例に限定されることなく、種々の変形や変更が可能であって、それらも本発明の均等の範囲内である。
例えば、キャンペーンカードには、剥離性基材や剥離性インキを使用し、剥離性を持たせてもよい。このようにすれば、粘着層１４の接着特性を考慮しなくてもよくなる。
また、キャンペーン用シートは、ベースシート上に再剥離性粘着剤を設けたような簡易なものであってもよく、実施例１の２枚目シート１２のようなものであってもよい。
【図面の簡単な説明】
【００５２】
【図１】本発明によるキャンペーン用シートの実施例１を示す図である。
【図２】キャンペーン用台紙１０の丁合時の様子を示す図である。
【図３】本発明によるキャンペーン用シートの実施例２を示す図である。
【図４】キャンペーン用台紙１０Ａの丁合時の様子を示す図である。
【図５】本発明によるキャンペーン用シートの実施例３を示す図である。
【図６】キャンペーン用台紙１０Ｂの丁合時の様子を示す図である。
【図７】本発明によるキャンペーン用シートの実施例４を示す図である。
【図８】キャンペーン用台紙１０Ｃの丁合時の様子を示す図である。
【符号の説明】
【００５３】
１０、１０Ａ〜１０Ｃ  キャンペーン用台紙
１１  １枚目シート
１１ａ  案内欄
１２、１２Ｃ  ２枚目シート
１３  タック基材
１４  粘着層
１５  剥離紙
１６  ３枚目シート
１６ａ  広告欄
１６ｂ  ２枚目シート貼り込み予定位置
１７  貼付領域
ｈｃ  ハーフカット
ｍｃ  ミシン目
Ａ  キャンペーンカードを貼付する部分
Ｂ  その他の部分
【図１】
2006027134.tif 000003
【図２】
2006027134.tif 000004
【図３】
2006027134.tif 000005
【図４】
2006027134.tif 000006
【図５】
2006027134.tif 000007
【図６】
2006027134.tif 000008
【図７】
2006027134.tif 000009
【図８】
2006027134.tif 000010